(57)【要約】【課題】鋏本来の切断機能を補完するような機能ではなく、鋏本来の機能とは異なる機能を付加可能とすることにより、鋏を多機能化させ、鋏に使用者のオリジナル性を付与して使用感覚を向上させる。【解決手段】柄部２２、３２と切刃部２１、３１からなる一対の鋏片２、３を、回動中心軸５を中心として回動させることにより開閉動可能に支持した鋏において、前記一対の鋏片２、３のうち少なくとも一方の鋏片の柄部には、収納容器６、７５を収容可能な収容部４を形成する。【効果】鋏本来の機能である切断機能ではなく、収納機能を付加することができる。収納容器内に収納する物如何によって収納機能以外にも鋏の使用者の視点から付加する機能を選択することができ、使用者独自のオリジナリティーに富んだ機能付き鋏を構成することができる。【選択図】図１
2011244878.tif 000002
【特許請求の範囲】
【請求項１】
柄部と切刃部からなる一対の鋏片を、回動中心軸を中心として回動させることにより開閉動可能に支持した鋏において、
前記一対の鋏片のうち少なくとも一方の鋏片の柄部には、収納容器を収容可能な収容部を形成したことを特徴とする機能付き鋏。
【請求項２】
前記収納容器には、容器内と容器外とを連通する貫通孔が形成されていることを特徴とする請求項１に記載の機能付き鋏。
【請求項３】
前記収容部には、収容部内と収容部外とを連通する連通孔が形成されていることを特徴とする請求項１又は請求項２に記載の機能付き鋏。
【請求項４】
前記柄部には、収容部の外方から収容部の内方を視認可能とする視認部が形成されていることを特徴とする請求項１〜請求項３のうち何れか一項に記載の機能付き鋏。
【発明の詳細な説明】
【技術分野】
【０００１】
本発明は、機能付き鋏に関するものである。
【背景技術】
【０００２】
鋏は、本来被切断体を切断する用途に用いられるものであるが、従来から切断する機能以外の種々の機能を付加した鋏が報告されている。これら付加される機能として報告されているのは、本来の鋏が有する切断機能を補完するような機能が主なものである。特許文献１には、刃体の一方に回転刃を設けることにより片手作業での切断を可能とする機能を付加した鋏が記載されている。また、特許文献２には、刃体にばねを設けることにより正確な切断を可能とする機能を付加した鋏が記載されている。これらの機能は、鋏に付加することで鋏本来の機能を補助することにより、切断作業の作業性を向上させ、鋏の操作性を向上させようとするものである。
【先行技術文献】
【特許文献】
【０００３】
【特許文献１】特開２００３−１１７２６５号公報。
【特許文献２】特開２００８−１１９４５１号公報。
【発明の概要】
【発明が解決しようとする課題】
【０００４】
しかし、従来知られているこれらの機能は、鋏本来の機能を補完することにより鋏の操作性或いは作業性を向上させようとするものであって、鋏本来の切断機能を補助する機能以外の全く異なる機能を付加する鋏については従来からあまり報告されていない。また、鋏本来の切断機能を補助する機能以外の全く異なる機能の存在によって、鋏に使用者のオリジナル性が付与されて使用感覚が向上するという技術思想に基づいた鋏についても従来からあまり報告されていない。
【０００５】
本発明は、このような事情に鑑みてなされたものである。その目的は、鋏本来の切断機能を補完するような機能ではなく、鋏本来の機能とは異なる機能を付加可能とすることにより、鋏を多機能化させること、鋏に使用者のオリジナル性を付与して使用感覚を向上させることにある。
【課題を解決するための手段】
【０００６】
上記目的を達成するために、請求項１に記載の発明は、柄部と切刃部からなる一対の鋏片を、回動中心軸を中心として回動させることにより開閉動可能に支持した鋏において、前記一対の鋏片のうち少なくとも一方の鋏片の柄部には、収納容器を収容可能な収容部を形成したことを要旨としている。
【０００７】
上記構成によれば、鋏本来の機能である切断機能ではなく、収納機能を付加することができる。収納容器内に収納する物如何によって収納機能以外にも鋏の使用者の視点から付加する機能を選択することができ、使用者独自のオリジナリティーに富んだ機能付き鋏を構成することができる。
【０００８】
請求項２に記載の発明は、請求項１に記載の鋏において、前記収納容器には、容器内と容器外とを連通する貫通孔が形成されていることを要旨としている。
上記構成によれば、貫通孔を介して収納容器内外を連通させることができる。
【０００９】
請求項３に記載の発明は、請求項１に記載の鋏において、前記収容部には、収容部内と収容部外とを連通する連通孔が形成されていることを要旨としている。
上記構成によれば、連通孔を介して収容部内外を連通させることができる。
【００１０】
請求項４に記載の発明は、請求項１〜請求項３のうち何れか一項に記載の鋏において、前記柄部には、収容部の外方から収容部の内方を視認可能とする視認部が形成されていることを要旨としている。
【００１１】
上記構成によれば、鋏を使用する際、収納容器が視認部を介して視認できる。これにより、使用者が収納容器を区別することで内部に収納されている物を容易に判別することができる。また、収納容器の外表面が視認できることにより、外観形状を向上させて、意匠面からも好適な機能付き鋏を提供することができる。異なる色の収納容器を適宜選択することも可能であり、使用する鋏に色彩のアクセントを付与することができる。鋏の使用者の個性によって鋏の外観形状を独自のスタイルとすることができて、鋏を使用する際の楽しみが向上し、娯楽性に優れた機能付き鋏を提供することができる。
【発明の効果】
【００１２】
本発明によれば、鋏本来の切断機能を補完するような機能ではなく、鋏本来の機能とは異なる機能を付加可能とすることにより、鋏を多機能化させることができ、使用者のオリジナル性を付与して使用感覚を向上させた機能付き鋏を提供することができる。
【図面の簡単な説明】
【００１３】
【図１】第１の実施の形態の機能付き鋏の平面図。
【図２】第１の実施の形態の機能付き鋏の収容部４の拡大図。（ａ）は、斜視図。（ｂ）は、正面図。（ｃ）は、側面図。
【図３】第１の実施の形態の収納容器。（ａ）は、斜視図。（ｂ）は、内部に芳香発生体１２を収納した状態の斜視図。（ｃ）は、内部に芳香発生体１２を収納した状態の側面断面図。
【図４】第２の実施の形態の機能付き鋏の平面図。
【図５】第２の実施の形態の機能付き鋏の収容部４の拡大図。（ａ）は、斜視図。（ｂ）は、正面図。（ｃ）は、側面図。
【図６】第２の実施の形態の収納容器７５の斜視図。
【図７】収納容器の変更例の図。（ａ）〜（ｄ）は斜視図。（ｅ）、（ｆ）は、側面断面図。
【図８】機能付き鋏の変更例の平面図。
【発明を実施するための形態】
【００１４】
（第１の実施の形態）
以下、本発明を収納容器内に芳香発生体を収容した機能付き鋏に具体化した第１の実施の形態を図１〜図３にしたがって説明する。
【００１５】
図１に示すように、機能付き鋏は、鋏１及び収納容器６から構成される。鋏１は、ステンレス製の一対の鋏片２、３から構成されるとともに、表面がフッ素コーティングされている。ここで、鋏片２を第１の鋏片とするのに対して鋏片３を第２の鋏片とする。第１の鋏片２及び第２の鋏片３は、回動中心軸５において積層状態で摺動可能に支持されている。以下の機能付き鋏の説明において、「先端側」「基端側」という場合は、第１の鋏片２及び第２の鋏片３が開状態を示す図１において左側を先端側とするのに対し、右側を基端側とするものとする。
【００１６】
第１の鋏片２の回動中心軸５より先端側（切断側）には、第１の切刃部２１が設けられているのに対して、反対側の基端側（把持側）には、第１の柄部２２が設けられている。同様に、第２の鋏片３の回動中心軸５より先端側（切断側）には、第２の切刃部３１が設けられているのに対して、反対側の基端側（把持側）には、第２の柄部３２が設けられている。
【００１７】
また、第１の鋏片２及び第２の鋏片３は、それぞれの先端又は切刃部２１、３１が重なり合った状態（閉状態）から、図１に示すようにそれぞれの先端又は切刃部２１、３１が離れた状態（開状態）に回動可能な構成とされている。
【００１８】
第１の柄部２２の基端側には、第１の把持部２３が設けられるとともに、第１の把持部２３には、人差指、中指を貫通するための指掛孔２３ａが形成されている。同様に第２の柄部３２の基端側には、第２の把持部３３が設けられるとともに、第２の把持部３３には、親指を貫通するための指掛孔３３ａが形成されている。また、第２の把持部３３には、第１の把持部２３と当接するための突出部３３ｂが第１の把持部２３側に突出している。かかる突出部３３ｂが第１の把持部２３と当接することにより、第１の鋏片２及び第２の鋏片３の開状態から閉状態への回動が停止される。
【００１９】
図１、図２に示すように、第１の把持部２３の基端側には、有底円管形状の収容部４が第１の把持部２３と一体的に形成されている。該収容部４には、後に説明する収納容器６が収容可能となっている。収容部４は、第２の把持部３３側に開口する開口部４３を備えるとともに、図２（ｃ）に示すように、第１の把持部２３に対して段差４４をもって形成されている。収容部４は、円管状の側壁４１と円形状の底壁４２とから構成され、底壁４２には、収容部４の内部と外部とを連通する連通孔４５が複数貫設されている。本実施の形態では、図２（ｂ）に示すように、円形の連通孔４５が４個貫設されている。
【００２０】
収容部４に収容可能なプラスチック製の収納容器６は、図３に示すように、蓋７と、有底円管形状の収納部８とから構成されている。蓋７は、収納部８を塞ぐ蓋部７１と、蓋部７１の下側に一体的に形成されるとともに、蓋７の取着時に収納部８内に挿入される挿入部７２と、蓋部７１の側部に一体的に結合した挟持部７３とから構成されている。長板状の挟持部７３は、蓋部７１の側部から収納容器６の軸線方向に対して垂直となるように一体的に取着されるとともに、図３（ｃ）に示すように直角に屈曲して、収納部８の軸線方向に並行となるように形成されている。
【００２１】
収納部８は、円管状の側壁８１と円形状の底壁８２とから構成されている。また、収納部８の底壁８２には、収納容器６の内部と外部とを連通する貫通孔８３が複数貫設されている。本実施の形態では、円形の貫通孔８３が４個貫設されている。そして、底壁８２における貫通孔８３の貫設位置は、収納容器６の挟持部７３が第１の鋏片２の基端側となるようにして収納容器６を収容部４に収容したときに、収容部４の底壁４２における連通孔４５の貫設位置と合致するようになっている。
【００２２】
蓋７の挿入部７２の外周面には雄ねじ７２ａが螺設されているのに対して、収納部８の開口部近傍の側壁８１の内周面には、雌ねじ８１ａが螺設されている。蓋７を収納部８に取着する際、挿入部７２の外周面が収納部８の側壁８１の内周面と摺接するとともに、前記雄ねじ７２ａと雌ねじ８１ａとが螺合することにより、蓋７が収納部８の開口部を塞ぐようにして収納部８に固定される。
【００２３】
収納部８の軸方向の長さは、収容部４の軸方向の長さとほぼ同一となるように形成されているとともに、蓋部７１の軸方向の長さは、第１の把持部２３と収容部４とにより形成された段差４４の高さとほぼ同一となるように形成されている。また、収納部８の直径は、収容部４の側壁４１の内周側の直径よりわずかに小径となるように形成されている。さらに、図３（ｃ）に示すように、蓋部７１の直径は、収納部８より大径となるように形成されている。具体的には、蓋部７１の直径は、収納部８の外周面直径より収容部４の側壁４１の厚み分大径となるように形成されている。
【００２４】
本実施の形態では、図３（ｂ）に示すように、収納容器６の内部に多孔質性樹脂からなる芳香発生体１２が収納されている。芳香発生体１２には、多機能付き鋏の使用者、又は製造者等によって選択されたアロマオイルを浸み込ませることが可能である。
【００２５】
次に、本実施の形態の機能付き鋏の使用方法について説明する。まず、収納容器６の収納部８内に多孔質性樹脂を収納し、適宜選択したアロマオイルを数滴多孔質性樹脂に直接滴下することによってアロマオイルを含浸させる。その後、収納容器６の蓋７の挿入部７２を収納部８に挿入し、挿入部７２に形成された雄ねじ７２ａを、収納部８の側壁８１に形成された雌ねじ８１ａに螺合させることにより、蓋７を収納部８に固定させる。これにより、芳香発生機能が付与された収納容器６が得られる。
【００２６】
続いて、収納容器６を第１の把持部２３に形成された収容部４内に収容する場合には、図１に示すように、鋏１を開状態に維持したままで収容部４の開口部４３に収納容器６の収納部８の底壁８２側から収容する。このとき、収納部８の直径が収容部４の側壁４１の内周側の直径よりわずかに小径となるように形成されていることから、収納容器６の収納部８の側壁８１外周面が収容部４の側壁４１内周面と摺接する。この際、収納容器６の蓋部７１に一体的に結合している挟持部７３が、第１の把持部２３の基端側端部に位置するように収容する。このようにして収容部４内に収容された収納容器６は、収納部８の側壁８１の外周面と収容部４の側壁４１の内周面とが摺接していることにより両壁間で摩擦力が発生し、該摩擦力が作用することにより収納容器６が鋏１から脱落することなく収容部４内に保持される。
【００２７】
ここで、収容部４の開口部４３は、第２の把持部３３側に開口していることから、機能付き鋏使用時に鋏１が開状態から閉状態に移行する際に、第２の把持部３３の表面のうち収容部４の開口部４３と相対する部分が、収容部４内に収容された収納容器６の蓋７の上面を押さえる態様になる。
【００２８】
また、蓋部７１の軸方向の長さが第１の把持部２３と収容部４とにより形成された段差４４の高さとほぼ同一となるように形成されていることから、収納容器６が収容部４内に保持された状態で、収納容器６の蓋７の上面は、第１の把持部２３の表面とほぼ面一となる。
【００２９】
さらに、収納部８の軸方向の長さが収容部４の軸方向の長さとほぼ同一となるように形成されていることから、収納容器６が収容部４内に保持された状態で、収納容器６の収納部８の底壁８２は、収容部４の底壁４２に接している。このとき、収納容器６の収納部８の底壁８２に貫設された貫通孔８３は、収容部４の底壁４２に貫設された連通孔４５の形成位置と軸線方向に一致するように形成されていることから、収納容器６内部と第１の把持部２３外部とが貫通孔８３及び連通孔４５を介して連通することになる。これにより、収納容器６内の芳香発生体１２から発生する芳香が、貫通孔８３及び連通孔４５を通じて、収納容器６内から機能付き鋏の外部へと発散する。
【００３０】
本実施形態の機能付き鋏によれば、以下のような効果を得ることができる。
（１）本実施形態では、少なくとも一方の鋏片の第１の把持部２３に、収納容器６を収容可能な収容部４を一体的に形成したことにより、鋏本来の切断機能を補完するような機能ではなく、鋏本来の機能とは異なる収納機能を付加することができる。これにより、鋏を多機能化させることができる。また、収納容器６の収納部８内に収納される多孔質性樹脂に、適宜選択したアロマオイルを含浸させることができるため、鋏使用者独自のオリジナル性を付与して使用感覚を向上させた機能付き鋏を提供することができる。
【００３１】
（２）収容部４の開口部４３は、対向する第２の把持部３３側に向いて開口していることから、機能付き鋏の使用時に収納容器６が不用意に脱落することがなく、収納容器６の収容状態を安定して維持することができる。機能付き鋏を使用しての切断作業時には、収容部４の開口部４３は上側を向いているとともに、機能付き鋏が閉状態を採るたびに第２の把持部３３が収納容器６の蓋７の上面を押さえる態様となるため、収納容器６の安定した収容状態が持続する。
【００３２】
また、機能付き鋏を使用しない場合であっても、収納容器６は両把持部の内側に向いた状態で収容されているため、第１の把持部２３、第２の把持部３３が接している閉状態の場合は言うに及ばず、第１の把持部２３、第２の把持部３３が接していない開状態の場合であっても収納容器６が容易に抜け落ちることがなく、収納容器６を誤って紛失することがない。
【００３３】
（３）収納容器６は、収納部８の側壁８１の外周面が収容部４の側壁４１の内周面に摺接している。したがって、両面間に摩擦力が作用し、収納容器６は、当該摩擦力によって収容部４内に確実に保持されることになる。そのため、機能付き鋏使用時に収納容器６が脱落したり、位置ずれしたりすることによって切断作業の妨げになることがない。
【００３４】
（４）本実施形態では、収容部４内に芳香発生体１２を収納した収納容器６を収容する構成としたため、簡単な構造で使用者独自の香りを機能付き鋏に付与することができる。
（５）芳香発生体１２は、多孔質性樹脂にアロマオイルを直接滴下する構成としたため、滴下量を調整したり、アロマオイルの種類を使用の都度変更することが容易であり、使用時の気分によって香りの強さを適宜選択したり、適当な種類の香りを適宜選択することが容易である。
【００３５】
（６）収納容器６の底壁８２に対する貫通孔８３の貫設態様と、収容部４の底壁４２に対する連通孔４５の貫設態様を同じくしている。つまり、これらの孔形状及び個数を同じくしているため、収納容器６を収容部４に収容した場合、貫通孔８３と連通孔４５とをその貫設位置が軸線方向に一致するように配置させることも可能である。これにより、収納容器６内の芳香発生体１２に含浸されたアロマオイルが貫通孔８３及び連通孔４５を介して好適に機能付き鋏の外部に向けて発散される。
【００３６】
（７）収納容器６を収容する収容部４は、第１の把持部２３に一体的に形成されている。したがって、機能付き鋏の使用時において、使用者の体温によって第１の把持部２３が暖められるとともに、収納容器６内も同様に暖められることにより、効率的に芳香発生体１２からの芳香を発散させることができる。
【００３７】
（８）収納容器６を収容部４内に収容した場合、蓋部７１の上面が、収容部４の段差４４の存在により第１の把持部２３の表面とほぼ面一となるように収容される。したがって、機能付き鋏使用時に収納容器６の蓋部７１が切断作業の妨げとなることがない。また、収納容器６の蓋部７１に一体的に結合している挟持部７３が第１の把持部２３の基端側に位置するように収納容器６を収容した場合にも、挟持部７３が切断作業の妨げになることがない。
【００３８】
（９）収納容器６の蓋部７１の直径は、収納部８の外周面の直径より収容部４の側壁４１の厚み分大径に形成されている。これにより、収納容器６を収容部４内に収容した場合、収納容器６の蓋部７１の外周面と収容部４の側壁４１の外周面とが面一となるように収容できるため、意匠性においても優れた機能付き鋏を提供することができる。
【００３９】
（１０）収納容器６を収容部４から外せば、収納容器６は芳香を発生させるグッズとして機能付き鋏とは別に使用することができる。特に、収納容器６には挟持部７３が設けられていることから、これをクリップとして使用したり、衣服のポケットに引っ掛ける部材として活用したりすることが可能である。
【００４０】
（第２の実施の形態）
以下、本発明の第２の実施の形態を、第１の実施の形態と異なる部分を中心に図４〜図６に従って説明する。なお、第１の実施の形態と同じ部材には、同じ番号を付すものとする。
【００４１】
図４に示すように、第１の把持部２３に一体的に形成された収容部４の側壁４１には、収容部４の開口部４３から側壁４１の軸方向に長方形状に延びるスリット４６が形成されている。
【００４２】
収容部４の開口部４３は、第１の実施の形態の機能付き鋏と同様に、第２の把持部３３側に開口しているとともに、第１の把持部２３と収容部４との間には段差４４が形成されている。
【００４３】
本実施の形態の収納容器７５は、図６に示すように、蓋７６と、有底円管形状の収納部８５とから構成されている。蓋７６は、収納部８５を塞ぐ蓋部７７と、蓋部７７の下側に一体的に形成されるとともに、蓋７６の取着時に収納部８５内に挿入される挿入部７８とから構成されている。
【００４４】
収納部８５は、円管状の側壁８６と円形状の底壁８７とから構成されている。収納部８５の側壁８６の外周面上部には、収納容器７５の軸方向に突部８８が突設されている。突部８８は、その幅がスリット４６の幅よりも小さいとともに、その長さがスリット４６の長さよりも小さい。また、突部８８の側壁８６からの突出長は、収容部４の側壁４１の厚みとほぼ同一か僅かに低くなるように形成されている。
【００４５】
底壁８７には、収納容器７５の内部と外部とを連通する貫通孔８９が複数貫設されている。そして、底壁８７における貫通孔８９の貫設位置は、前記突部８８がスリット４６に挿入されるようにして収納容器７５が収容部４に収容されたときに、収容部４の底壁４２における連通孔４５の貫設位置と合致するようになっている。
【００４６】
収納容器７５を第１の把持部２３に形成された収容部４内に収容する場合には、収納容器７５に形成された突部８８を収容部４のスリット４６の形成位置に合致させた状態で、収容部４の開口部４３に収納容器７５の収納部８５の底壁８７側から挿入する。このとき、突部８８の径方向の幅及び突出高が、収容部４に形成されたスリット４６の径方向の幅及び収容部４の側壁４１の厚みとほぼ同一になるように形成されていることから、収納容器７５が収容部４内に保持された状態で、突部８８は、スリット４６の形成位置において収容部４の側壁４１の外周面とほぼ面一となる。
【００４７】
スリット４６の上部内域には突部８８が配置されるため、スリット４６は、収容部４の側壁４１に形成された窓であるかのようになる。したがって、収納容器７５が収容部４に収容されたとしても、スリット４６が窓として機能することによって収納容器７５の側壁８６を第１の把持部２３の外部から視認することができる。また、スリット４６内に挿入された突部８８により、収納容器７５が位置決めされるとともに、その収納状態が安定して保持される。
【００４８】
第２の実施の形態の機能付き鋏によれば、前記第１の実施の形態の効果（１）〜（７）に加えて以下のような効果を得ることができる。
（１１）収容部４にはスリット４６が形成されていることにより、スリット４６から収容部４内に収容された収納容器７５の収納部８５を視認することができる。これにより、収容部４内に収容された収納容器７５を容易に識別可能である。収納容器７５の外周面の色を、内部に収納された芳香発生体１２の種類によって変更する構成とすれば、現在使用中の機能付き鋏に付与されている芳香を外部から容易にかつ直接的に視認することができる。
【００４９】
（１２) 第１の把持部２３と異なる色の収納容器７５を収容部４内に収容すれば、スリット４６を介して視認できる収納容器７５の色により、機能付き鋏にワンポイントで色を付与することができ、機能付き鋏の外観形状を向上させ、意匠性に優れた機能付き鋏を提供することができる。使用者の嗜好により芳香を適宜選択できるのみならず、収納容器７５の色も適宜選択可能であり、よりオリジナル性の高い機能付き鋏を提供することができる。
【００５０】
なお、上記各実施の形態は、以下のように変更してもよい。また、以下の変更例を適宜組み合わせて機能付き鋏として構成することも可能である。
・  収容部４は、第１の把持部２３ではなく、第２の把持部３３に形成してもよい。また、第１の把持部２３、第２の把持部３３両方に形成してもよい。
【００５１】
・  収容部４の開口部４３は、相対する把持部側に向けて開口する場合に限定されない。第１の把持部２３の表面のうち、いずれの方向に向けて開口していてもよい。この点は、第２の把持部３３に収容部４を形成する場合も同様である。また、第１の把持部２３、第２の把持部３３の両方に収容部４を形成する場合は、両方の開口の位置が互いに対称となるように形成してもよいし、対称とならないように形成してもよい。
【００５２】
・  収容部４の形成位置は、把持部基端側に限定されない。例えば、把持部先端側でもよく、対向する把持部の内側でもよく、把持部の外側でもよい。
・  収容部４は有底円管形状に限定されない。有底楕円管形状でもよく、有底三角管形状、有底四角管形状など有底多角管形状であってもよい。その場合、収納容器６、７５も収容部４の形状に合わせて、有底楕円管形状、有底三角管形状、有底四角管形状などにすることが好ましい。特に有底楕円管形状の場合、収納容器６、７５の収容部４に対する位置決めが容易であり、挟持部７３、突部８８に依存しないで連通孔４５と、貫通孔８３、８９との位置を合致させることが容易になる。この場合、挟持部７３、突部８８の構成を省略してもよい。
【００５３】
・  収納容器６、７５の収納部８、８５の軸方向の長さは、収容部４の軸方向の長さとほぼ同一である場合に限定されない。収容部４の軸方向の長さより短くなるように形成してもよい。この場合、収容部４と収納容器６、７５との間にはスペースが作られるようになるため、収容部４の連通孔４５と収納容器６、７５の貫通孔８３、８９との個数、形状について特に限定されることがなくなる。したがって、収容部４の底壁４２と、収納容器６、７５の底壁８２、８７とに設計の自由度を付加することができる。また、収納容器６、７５を収容部４に挿入する場合には、その位置決めについて特定されることがないため、挿入作業が容易になる。
【００５４】
・  収納容器６、７５の貫通孔８３、８９は、４個に限定されない。１個でもよく、複数個でもよい。
・  上記実施の形態では、収容部４の連通孔４５と収納容器６、７５の貫通孔８３、８９とが互いに対向して合致するように配置形成したが、連通孔４５および貫通孔８３、８９の対向位置は、これに限定されることはない。例えば、少なくとも、収納容器６、７５の複数個の貫通孔８３、８９のいずれかが収容部４の連通孔４５と対応するように構成してもよい。このように構成したとしても、上記各実施の形態と同様の効果が得られる。
【００５５】
・  図８に示すように、第２の実施の形態の機能付き鋏の収容部４に、第１の実施の形態の機能付き鋏で示した収納容器６を収容するとともに、スリット４６内に収納容器６の挟持部７３が挿入される構成としてもよい。この場合、挟持部７３の幅は、収納容器６径方向に見ると、スリット４６の幅より僅かに小さく形成されていることが好ましい。また、挟持部７３の長さは、収納容器６軸方向に見ると、スリット４６の長さより小さく形成されていることが好ましい。さらに、挟持部７３をスリット４６内へ挿入したときに、収容部４に貫設された連通孔４５と収納容器６に貫設された貫通孔８３との貫設位置が合致するようになっていることが好ましい。
【００５６】
・  図７（ａ）に示すように、収納容器６の挟持部７３に代えて、クリップ７４を一体的に結合させるように構成してもよい。クリップ７４の下端部は、クリップ７４の付勢手段により収納容器６の収納部８の側壁８１に付勢されている。一方、クリップ７４の上端部を挟むことにより付勢手段に抗してクリップ７４の下端部を側壁８１から離間させれば、クリップ７４における側壁８１への付勢を解除することができる。この構成により、収納容器６、７５を収容部４に挿入した場合には、クリップ７４が収容部４の側壁４１を挟持することができるため、収納容器６は収容部４内に確実に保持される。また、この場合、クリップ７４が一体的に結合した収納容器６を単独で使用することもできる。例えば、芳香発生体１２を収納した収納容器を上着のポケット等に挟み込むことにより、手軽な芳香剤として使用することが可能である。
【００５７】
・  図７（ｂ）、（ｃ）に示すように、収納容器６、７５の貫通孔８３、８９を蓋７、７６上に貫設してもよい。或いは、収納容器６、７５の貫通孔８３、８９を蓋７、７６及び収納部８、８５の底壁８２、８７の両方に貫設する構成としてもよい。
【００５８】
・  第２の実施の形態の機能付き鋏において、図７（ｄ）に示すように、収納容器７５の収納部８５の側壁８６に、軸方向に点線状に貫通孔８９を貫設する構成としてもよい。この場合には、収納容器７５を収容部４内に収容した時に、スリット４６の位置に貫通孔８９が視認されるように貫設位置を設定することが好ましい。このように構成した場合、収納容器７５内に含浸させたアロマオイルが多孔質性樹脂から漏出する事態が生じたとしても、収容部４の底壁４２から漏出することを回避できる。また、点線状の貫通孔８９は、図７（ｄ）に示すように、縦１列となるように貫設されている場合だけでなく、縦２列、或いは縦複数列となるように貫設されていてもよい。その他、ランダムに配列した状態で貫設されていてもよく、さらには、収納容器７５の収納部８５の側壁８６全体に亘って適宜貫通孔８９が貫設されていてもよい。貫通孔８９の様々な貫設態様により、収納容器７５単独で使用した場合にも、芳香発生体の多様な芳香発生態様を実現できる。
【００５９】
・  第１の実施の形態の機能付き鋏において、図７（ｅ）に示すように、蓋７の挿入部７２の外周面の雄ねじ７２ａを省略するとともに、収納部８の開口部近傍の側壁８１の内周面の雌ねじ８１ａを省略する構成としてもよい。この場合、蓋７の挿入部７２の外周面が収納部８の側壁８１の内周面と摺接し、両面間で摩擦力が発生し、該摩擦力が作用することにより蓋７が収納部８から脱落することなく収納部８内に保持される。
【００６０】
・  同様に、第２の実施の形態の機能付き鋏において、図７（ｆ）に示すように蓋７６の挿入部７８の外周面の雄ねじと、収納部８５の開口部近傍の側壁８６の内周面の雌ねじとを省略する構成としてもよい。
【００６１】
・  突部８８に代えて、収納部８５の側壁８６の外周面上部に目印部を形成するように変更しても良い。例えば、その目印部としては、側壁８６の外周面を半球状に切り欠くことにより凹部を形成する構成としてもよい。また、前記凹部は、収納容器７５に方向性を持たせるための目印となるものであれば、形状は特に限定されるものではない。凹溝状に切り欠かれていてもよく、円形状或いは多角形状に貫設されていてもよい。目印部を被目印部としてのスリット４６に合致させることで、貫通孔８９と連通孔４５とがその貫設位置が一致して収納容器７５の内部と機能付き鋏の外部とが連通することになる。
【００６２】
・  収納容器７５を視認可能な視認部として、長方形状のスリット４６ではなく、１つ又は複数の窓を貫設することにより形成してもよい。窓の形状は特に限定されるものではなく、三角形状や四角形状などの多角形状或いは円形状としてもよい。また、複数の窓を形成する場合、その形成位置は特に限定されるものではなく、収容部の軸方向に並べて形成してもよく、収容部全体に形成しても良い。このとき、収納容器７５に形成された目印部としての突部８８、凹部等を被目印部としての視認部に合致させることで、貫通孔８９と連通孔４５とがその貫設位置を一致させることができる。収納容器７５の外周面の色とを適宜選択することにより、外観形状に優れたよりオリジナル性の高い機能付き鋏を提供することができる。
【００６３】
・  収納容器６、７５は、プラスチック樹脂製に限定されない。金属製、陶磁器製、織布製等、収容部４内に保持されうる材質、形状のものであれば特に限定されるものではない。
【００６４】
・  収納容器６、７５内に収納する部材は芳香発生体１２に限定されない。使用者の観点から収納する部材を適宜選択することが可能である。収納容器７５の貫通孔８９を側壁８６に貫設した上で、内部に針を収納する構成とすれば、針が収納容器７５内から脱落することなく、好適に収納容器７５内に収納することができる。同様に、収納容器７５内にシャープペンの芯を収納する構成としてもよい。
【００６５】
さらに、前記実施の形態より把握できる技術的思想について以下に記載する。
（イ）前記収納容器内に芳香発生体を収納することを特徴とする機能付き鋏。
（ロ）前記収納容器には貫通孔及び目印部が形成されているとともに、前記収容部には連通孔及び被目印部が形成され、前記連通孔は、前記収納容器を収容部に収容して目印部を被目印部に合致させたときに、前記貫通孔と対応する位置に配置されることを特徴とする機能付き鋏。
【００６６】
（ハ）前記収納容器を前記収容部に収容したとき、前記収納容器の上面が前記柄部の表面と略面一となることを特徴とする機能付き鋏。
【符号の説明】
【００６７】
１…鋏、２…鋏片、３…鋏片、４…収容部、５…回動中心軸、６…収納容器、２１…切刃部、２２…柄部、３１…切刃部、３２…柄部、４５…連通孔、４６…視認部としてのスリット、７５…収納容器、８３…貫通孔、８９…貫通孔。
【図１】
2011244878.tif 000003
【図２】
2011244878.tif 000004
【図３】
2011244878.tif 000005
【図４】
2011244878.tif 000006
【図５】
2011244878.tif 000007
【図６】
2011244878.tif 000008
【図７】
2011244878.tif 000009
【図８】
2011244878.tif 000010